(57)【要約】【課題】  データ信号に任意信号を重畳してアナログ伝送を行う際に、限られた伝送帯域をもつ伝送路においても特性劣化を抑えて信号伝送が可能な信号伝送装置を提供すること。【解決手段】  親局装置１では、任意信号を信号発生部１１により生成し、合波部１２を用いて、任意信号を上りデータ信号伝送路（第二の伝送路）に重畳して子局側２に伝送する。このように、任意信号を上りデータ信号伝送路（第二の伝送路）で伝送する場合は、上りデータ信号伝送路（第二の伝送路）内では任意信号と上りデータ信号の伝送方向が異なるため、任意信号と上りデータ信号の帯域が重なったときでも任意信号を劣化させることなく伝送することが可能となる。【選択図】  図１
2005244729.tif 000002
【特許請求の範囲】
【請求項１】
他局装置に対する第一のデータ信号を伝送するための第一の伝送路へ接続される第一の接続部と、
前記他局装置からの第二のデータ信号を伝送するための第二の伝送路に接続される第二の接続部と、
任意信号を生成する信号発生手段と、
前記生成された任意信号を、前記第二の伝送路に重畳する合波手段と、
を備える信号伝送装置。
【請求項２】
他局装置からの第一のデータ信号を伝送するための第一の伝送路へ接続される第一の接続部と、
前記他局装置へ第二のデータ信号を伝送するための第二の伝送路へ接続される第二の接続部と、
前記他局装置によって前記第二のデータ信号に重畳された任意信号を、前記第二の伝送路から分波する分波手段と、
前記分波された任意信号を獲得する信号獲得手段と、
を備える信号伝送装置。
【請求項３】
請求項１記載の信号伝送装置であって、前記合波手段が方向性結合器の機能を有する信号伝送装置。
【請求項４】
請求項２記載の信号伝送装置であって、前記分波手段が方向性結合器の機能を有する信号伝送装置。
【請求項５】
請求項１記載の信号伝送装置であって、
前記第一のデータ信号を無線周波数帯域から中間周波数帯域へ変換して前記第一の伝送路に出力する第一のデータ信号周波数変換手段と、
前記信号発生手段から出力された前記任意信号の周波数帯域を中間周波数帯域に変換して前記合波手段へ出力する第一の任意信号周波数変換手段と、
をさらに備える信号伝送装置。
【請求項６】
請求項２記載の信号伝送装置であって、
前記第一の伝送路を介して受信した中間周波数帯域のデータ信号を、無線周波数帯域のデータ信号に周波数変換する第二のデータ信号周波数変換手段と、
前記第二の伝送路から分波して取得した中間周波数帯域の任意信号を、無線周波数帯域の任意信号に周波数変換する第二の任意信号周波数変換手段と、
をさらに備えることを特徴とする信号伝送装置。
【請求項７】
請求項１記載の信号伝送装置であって、
前記第一のデータ信号が帯域の異なる２種類のデータ信号を含み、前記２種類のデータ信号のうち一方を第二の伝送路に重畳する第二の合波手段と、
前記第一の伝送路に重畳された前記他局装置からのデータ信号を分波する分波手段と、
をさらに備える信号伝送装置。
【請求項８】
請求項２記載の信号伝送装置であって、
前記第二の伝送路に重畳された前記他局装置からのデータ信号を分波する第二の分波手段と、
前記第二のデータ信号が帯域の異なる２種類のデータ信号を含み、前記２種類のデータ信号のうち一方を第一の伝送路に重畳する合波手段と、
をさらに備える信号伝送装置。
【請求項９】
親局側から子局側に下りデータ信号を伝送する第一の伝送路と、子局側から親局側に上りデータ信号を伝送する第二の伝送路の中継用の信号伝送装置であって、
前記第二の伝送路に重畳された親局側からの任意信号を、前記第二の伝送路から分波する分波手段と、
前記分波された任意信号を獲得する信号獲得手段と、
前記獲得された任意信号に基づいて、第二の任意信号を生成する信号発生手段と、
前記第二の任意信号を前記第二の伝送路に重畳して子局側に伝送する合波手段と、
を備える信号伝送装置。
【発明の詳細な説明】
【技術分野】
【０００１】
本発明は、２つの伝送路を介して他局装置と信号伝送を行う信号伝送装置に関する。
【背景技術】
【０００２】
アナログ信号伝送や移動体通信などの無線伝送システムにおいて、基地局とアンテナとの間のデータ伝送には、データ信号に、データ信号以外の信号（以下、任意信号）を周波数多重により重畳して伝送する方式がある。
【０００３】
例えば、特許文献１には、集中化基地局装置と、複数の無線ゾーンに設置されたアンテナ部との間の信号伝送について、集中化基地局装置が、中間周波数帯のＩＦ信号に、ＩＦ信号に近い周波数の無変調波を重畳してアンテナ部に送信し、アンテナ部で受信したＩＦ信号と無変調波を分波し、分波した無変調波を逓倍した局部発振信号を用いてＩＦ信号を無線周波数帯のＲＦ信号に変換する無線伝送システムが記載されている。
【０００４】
アナログ伝送では、高い直線性が必要とされるため、伝送する信号が無線周波数帯のＲＦ信号のような高周波信号である場合、その周波数が高くなるほど伝送システムが高価になる。したがって、上述の無線伝送システムによれば、信号伝送をＩＦ帯で行うので、伝送システムのコストを下げることができる。また、共通の集中基地局装置側で重畳した無変調波を用いるので、アンテナ部間の同期をとることが可能になる。
【０００５】
ここで、上記従来の無線伝送システムにあっては、任意信号の例としての無変調波をデータ信号の伝送方向（下りデータ信号）と同じ伝送路に合波してアンテナ部に送信しているため、任意信号の帯域は伝送特性劣化を起こさないように重畳する信号と離れた帯域に設定する必要がある。
【０００６】
しかしながら、伝送路の伝送帯域制限によっては、設定可能な任意信号の周波数の範囲が限定されてしまう。そのような場合、送信データ信号に任意信号を合波すると任意信号の周波数によっては帯域が重なってしまい、互いに干渉することによる伝送特性劣化が生じてしまう。特に、例えばメタルケーブルなどの伝送路の種類によっては信号損失が大きいもの、あるいは伝送帯域制限が存在するので設定可能な任意信号周波数の範囲が限定されてしまうという事情があった。
【特許文献１】特開平６−１６４４２７号公報
【発明の開示】
【発明が解決しようとする課題】
【０００７】
本発明は上記従来の事情を鑑みてなされたものであって、データ信号に任意信号を重畳してアナログ伝送を行う際に、限られた伝送帯域をもつ伝送路においても特性劣化を抑えて信号伝送が可能な信号伝送装置を提供することを目的とする。
【課題を解決するための手段】
【０００８】
本発明の信号伝送装置は、他局装置に対する第一のデータ信号を伝送するための第一の伝送路へ接続される第一の接続部と、
前記他局装置からの第二のデータ信号を伝送するための第二の伝送路に接続される第二の接続部と、
任意信号を生成する信号発生手段と、
前記生成された任意信号を、前記第二の伝送路に重畳する合波手段と、
を備える。
【０００９】
この構成により、データ信号に任意信号を重畳してアナログ伝送を行う際に、限られた伝送帯域をもつ伝送路においても特性劣化を抑えて信号伝送を行うことができる。
【００１０】
また、本発明の信号伝送装置は、他局装置からの第一のデータ信号を伝送するための第一の伝送路へ接続される第一の接続部と、
前記他局装置へ第二のデータ信号を伝送するための第二の伝送路へ接続される第二の接続部と、
前記他局装置によって前記第二のデータ信号に重畳された任意信号を、前記第二の伝送路から分波する分波手段と、
前記分波された任意信号を獲得する信号獲得手段と、を備える。
【００１１】
この構成により、データ信号に任意信号を重畳してアナログ伝送を行う際に、限られた伝送帯域をもつ伝送路においても特性劣化を抑えて信号伝送を行うことができる。
【００１２】
また、本発明の信号伝送装置は、前記合波手段が方向性結合器の機能を有する。また、前記分波手段が方向性結合器の機能を有する。
【００１３】
この構成により、伝送路が帯域制限されているような場合、任意信号を上りデータ信号伝送路（第二の伝送路）に重畳することで、上りデータ信号と任意信号の帯域が重なっても対向伝送となるのでお互いの伝送特性にほとんど影響を及ぼさず、伝送特性劣化を小さくすることが可能となる。
【００１４】
また、本発明の信号伝送装置は、前記第一のデータ信号を無線周波数帯域から中間周波数帯域へ変換して前記第一の伝送路に出力する第一のデータ信号周波数変換手段と、
前記信号発生手段から出力された前記任意信号の周波数帯域を中間周波数帯域に変換して前記合波手段へ出力する第一の任意信号周波数変換手段と、
をさらに備える。
【００１５】
この構成により、ＩＦ信号による伝送方式においても、任意信号を上りデータ信号伝送路（第二の伝送路）で伝送することができる。そして、上りデータ信号伝送路（第二の伝送路）内では任意信号と上りデータ信号の伝送方向が異なるため、任意信号と上りデータ信号の帯域が重なったときも伝送が可能となる。また、帯域が重ならない場合も、従来の下りデータ信号伝送路(第一の伝送路)で下りデータ信号と任意信号を伝送するときの特性に比べると劣化を低減できる効果がある。
【００１６】
また、本発明の信号伝送装置は、前記第一の伝送路を介して受信した中間周波数帯域のデータ信号を、無線周波数帯域のデータ信号に周波数変換する第二のデータ信号周波数変換手段と、
前記第二の伝送路から分波して取得した中間周波数帯域の任意信号を、無線周波数帯域の任意信号に周波数変換する第二の任意信号周波数変換手段と、
をさらに備える。
【００１７】
この構成により、ＩＦ信号による伝送方式においても、任意信号を上りデータ信号伝送路（第二の伝送路）で伝送することができる。そして、上りデータ信号伝送路（第二の伝送路）内では任意信号と上りデータ信号の伝送方向が異なるため、任意信号と上りデータ信号の帯域が重なったときも伝送が可能となる。また、帯域が重ならない場合も、従来の下りデータ信号伝送路(第一の伝送路)で下りデータ信号と任意信号を伝送するときの特性に比べると劣化を低減できる効果がある。
【００１８】
また、本発明の信号伝送装置は、前記第一のデータ信号が帯域の異なる２種類のデータ信号を含み、前記２種類のデータ信号のうち一方を第二の伝送路に重畳する第二の合波手段と、
前記第一の伝送路に重畳された前記他局装置からのデータ信号を分波する分波手段と、
をさらに備える。
【００１９】
この構成により、２種類の帯域の重なるデータ信号を伝送する際に、各伝送路で対向伝送となるようにすることで、データ信号の帯域が重なっても対向伝送となるのでお互いの伝送特性にほとんど影響を及ぼさず、伝送特性劣化を小さくすることが可能となる。
【００２０】
また、本発明の信号伝送装置は、前記第二の伝送路に重畳された前記他局装置からのデータ信号を分波する第二の分波手段と、
前記第二のデータ信号が帯域の異なる２種類のデータ信号を含み、前記２種類のデータ信号のうち一方を第一の伝送路に重畳する合波手段と、
をさらに備える。
【００２１】
この構成により、２種類の帯域の重なるデータ信号を伝送する際に、各伝送路で対向伝送となるようにすることで、データ信号の帯域が重なっても対向伝送となるのでお互いの伝送特性にほとんど影響を及ぼさず、伝送特性劣化を小さくすることが可能となる。
【００２２】
また、本発明の信号伝送装置は、親局側から子局側に下りデータ信号を伝送する第一の伝送路と、子局側から親局側に上りデータ信号を伝送する第二の伝送路の中継用の信号伝送装置であって、
前記第二の伝送路に重畳された親局側からの任意信号を、前記第二の伝送路から分波する分波手段と、
前記分波された任意信号を獲得する信号獲得手段と、
前記獲得された任意信号に基づいて、第二の任意信号を生成する信号発生手段と、
前記第二の任意信号を前記第二の伝送路に重畳して子局側に伝送する合波手段と、
を備える。
【００２３】
この構成により、任意信号を下り伝送路（第一の伝送路）と異なる上り伝送路（第二の伝送路）に重畳して伝送を行う場合の中継装置を実現できる。
【発明の効果】
【００２４】
本発明によれば、データ信号に任意信号を重畳してアナログ伝送を行う際に、限られた伝送帯域をもつ伝送路においても特性劣化を抑えて信号伝送が可能な信号伝送装置を提供することができる。
【発明を実施するための最良の形態】
【００２５】
（第１の実施形態）
図１は、本発明の第１の実施形態を説明するための信号伝送装置の概略構成を示す図であり、その一例として、親局装置の概略構成を示す。親局装置１は、例えば２芯の伝送路を介して子局装置との双方向伝送を行うものである。
【００２６】
図１に示すように、親局装置１は、任意信号を生成する信号発生部１１と、第二の伝送路に任意信号を合波する合波部１２と、データ送信ポート５１０と、データ受信ポート５１１とを備える。データ送信ポート５１０は、下りデータ信号を第一の伝送路に伝送し、データ受信ポート５１１は、上りデータ信号を第二の伝送路から受信する。
【００２７】
ここで、信号発生部１１で生成される任意信号の例としては、ＲＦ帯域内の信号をＲＦ帯域幅以下の周波数帯域に変換してデータを伝送するＩＦ伝送方式に用いられる基準周波数信号、回線の断および信号レベル検出用に用いられるパイロット信号、伝送後のデータ信号の特性劣化を低減させるための信号等が挙げられる。
【００２８】
任意信号を生成させる信号発生部１１として、ＩＦ伝送方式に用いられる基準周波数のような高い周波数精度が要求されるような場合は電圧制御発振器（ＶＣＯ：Voltage Controlled Oscillator）や温度補償型水晶発振器（ＴＣＸＯ：Temperature Compensated Xtal Oscillator）等が好ましい。その他には水晶発振器や発振回路等で実現可能である。合波部１２としては周波数フィルタなどで実現できる。また、第一の伝送路および第二の伝送路の例としては、同軸ケーブル、ツイストペアケーブル等のアナログ伝送線が挙げられる。
【００２９】
図２は、データ信号と任意信号の関係を示す図であり、図２（ａ）は、親局装置１において２つの任意信号を重畳する場合における、本実施形態を適用した場合、図２（ｂ）は本実施形態を適用しない場合の、データ信号と任意信号の関係を周波数軸でそれぞれ表したものである。
【００３０】
図２に示す例では、信号発生部１１は、２つの任意信号を生成する場合を示している。第一の伝送路にすべての任意信号を重畳する場合は、図２（ｂ）中の任意信号３００、３０１と、これの任意信号による高調波成分３１０、３１１で示すようにそれぞれの周波数は帯域が重ならないようにする必要がある。
【００３１】
しかしながら、特にメタルケーブルやツイストペアケーブル等の伝送線は周波数依存性や帯域制限があるため、設定する周波数によっては任意信号のレベルが減衰してしまい、最悪の場合には、任意信号が伝送できない恐れがある。また、図２（ｂ）に例示するように、２つの任意信号により生じる高調波成分３１０がデータ伝送帯域内に生じてしまい、ひいては伝送特性劣化をもたらす懸念もある。
【００３２】
次に、図１に示す親局装置１の構成において、さらに、第一の伝送路に任意信号を重畳する合波部を設けた場合を検討してみる。その場合、図２（ａ）に示すように、信号発生部１１から出力される２つの任意信号３００、３０１を同じ周波数に設定し、第１の伝送路と第２の伝送路に分けて伝送できるので、伝送帯域の広がりを押さえることができる。  また、データ信号と任意信号を分離する周波数フィルタも第一、第二で周波数位置関係が同じのため、同じ特性の周波数フィルタを採用することが可能となり、部品の共有化による低コスト化を図ることができる。
【００３３】
したがって、第二の伝送路に任意信号を重畳する合波部を設けることにより、データ信号に任意信号を重畳してアナログ伝送を行う際に、限られた伝送帯域をもつ伝送路においても特性劣化を抑えて信号伝送を行うことができる。
【００３４】
（第２の実施形態）
図３は、本発明の第２の実施形態を説明するための信号伝送装置の概略構成を示す図であり、その一例として、子局装置の概略構成を示す。子局装置２内には第二の伝送路に重畳された任意の信号を第二の伝送路から分波する分波部１３と、第二の伝送路から任意信号を取得し、基準周波数信号などを生成する信号獲得部１４と、データ送信ポート５２０と、データ受信ポート５２１とを備える。データ送信ポート５２０は、上りデータ信号を第二の伝送路に送出し、データ受信ポート５２１は、下りデータ信号を第一の伝送路から受信する。
【００３５】
なお、本実施形態の子局装置２は、たとえば、第１の実施形態で示した親局装置１（図１）に対する子局装置として動作する。
【００３６】
図４は、データ信号と任意信号の関係を示す図であり、図４（ａ）、図４（ｂ）は、下りデータ信号と上りデータ信号の帯域が異なり、かつ１つの任意信号を重畳する場合における、本実施形態を適用した場合と適用しない場合の、データ信号と任意信号の関係をそれぞれ周波数軸で表したものである。
【００３７】
周波数依存性や帯域制限などの伝送路の制約により、なるべく低い周波数（データ信号の帯域に近い周波数）の任意信号を用いる必要があるが、一方でデータ信号に重なってしまうと伝送特性劣化をもたらすので低くするにも限界がある。よって、最適な周波数として図４（ｂ）の任意信号３００に示すように下りデータ信号１００の信号帯域のすぐ近くに設定される。しかし、この周波数位置関係だと、任意信号３００を分波するための周波数フィルタの特性は４００で示すように急峻なものが必要となる。
【００３８】
一方、第１の実施形態の信号伝送装置で第二の伝送路に任意信号を重畳するので、図４（ａ）のように下りデータ信号１００の信号帯域のすぐ近くに任意信号の周波数を設定することができる。その場合、本発明の第２の実施形態によれば、分波部１３により、第二の伝送路に重畳された任意信号を第二の伝送路から分波して信号獲得を行うので、図４に示すように非対称伝送の場合において、周波数フィルタの特性４０１も緩やかなものでよい。これにより周波数フィルタの仕様を緩和することができ、コスト低減を図ることができる。言い換えれば、周波数フィルタの仕様を上げることなく、限られた伝送帯域をもつ伝送路においても特性劣化を抑えて信号伝送を可能にすることができる。
【００３９】
なお、図２に示す場合のように親局装置からそれぞれ任意信号が送信される場合は、子局装置２は、図３に示す分波部１３に加え、第一の伝送路に重畳された任意信号を分波する分波部をさらに設け、分派した信号を信号獲得部１４で信号獲得すればよい。
【００４０】
（第３の実施形態）
図５は、本発明の第３の実施形態を説明するための信号伝送装置の概略構成を示す図である。なお、第１および第２の実施形態で説明した信号伝送装置と重複する説明は省略する。
【００４１】
図５に示す本実施形態の信号伝送装置では、親局装置１および子局装置２における、合波部１２及び分波部１３を方向性結合部（方向性結合器）１５の機能を有するもので実現したものである。
【００４２】
合波部１２及び分波部１３に代わる方向性結合部（方向性結合器）１５としては、ディレクショナルカプラやサーキュレータなどが挙げられる。
【００４３】
図６は、データ信号（下りデータ信号および上りデータ信号）と任意信号の関係を示す図であり、データ信号帯域が伝送路の帯域限界まで広がっており、かつ１つの任意信号を重畳する場合における、本実施形態を適用した場合（図６（ａ））と適用しない場合（図６（ｂ））の、データ信号と任意信号の関係を周波数軸で表したものである。
【００４４】
前述したようにメタルケーブルなどのアナログ伝送路は周波数依存性や帯域制限があることがわかっている。仮にデータ信号１００（下りデータ信号）の帯域が図６（ｂ）に示すように伝送路の伝送帯域限界まで広がっている時、第一の伝送路に任意の信号を重畳すると図６（ｂ）に示すように任意信号３００はデータ信号（下りデータ信号）１００の帯域内に入ってしまい、データ間に干渉などの影響をもたらし、ひいては伝送特性劣化を生じる。
【００４５】
そこで本発明の第３の実施形態で示す方法を用いれば、図６（ａ）に示すように任意信号３００は第二の伝送路に重畳されデータ信号２００（上りデータ信号）の帯域内に入ってしまうが、伝送方向が異なるため、図６（ｂ）に示す従来例のように下り伝送路（第一の伝送路）で下りデータ信号１００と任意信号３００の帯域が重なって伝送されるときの特性に比べ、任意信号３００の劣化を低減できる効果がある。
【００４６】
このような本実施形態の伝送装置によれば、伝送帯域に制約がある場合でも、信号劣化を抑えて信号伝送を行うことができる。
【００４７】
（第４の実施形態）
図７は、本発明の第４の実施形態を説明するための信号伝送装置の概略構成を示す図であり、その一例として、親局装置の概略構成を示す。親局装置１には、第１の実施形態（図１）の構成要素（合波部および信号発生部）に加えて、下りデータ信号の周波数帯域を変換する第１の周波数変換部１６、任意信号の周波数帯域を変換する第３の周波数変換部１７が設けられている。
【００４８】
この第４の実施形態は、第１の実施形態（図１）においてＩＦ（中間周波数）伝送方式を実現するための方法である。
【００４９】
ＩＦ伝送方式において必要な基準周波数信号は信号発生部１１から生成される。具体的には高周波数の高精度信号を生成することができるＶＣＯやＴＣＸＯ等で実現できる。
【００５０】
ＲＦ帯域内のデータ信号からＲＦ帯域幅以下のＩＦ信号を生成するためには、信号発生部１１で生成される基準周波数信号をもとに、第１の周波数変換部１６によりＩＦ信号を生成する。具体的には、第１の周波数変換部１６はミキサ回路等で実現可能である。こうして、下りデータ信号の周波数帯域をＲＦ帯域からＩＦ帯域に落とすことで、伝送帯域制限をもつ伝送路でもデータ信号の伝送が可能となる。
【００５１】
基準周波数信号は伝送後、データ信号をＲＦ信号に復元するために必要なので子局装置に伝送する必要があるがＲＦ帯域の周波数を持つ基準周波数信号のままでは伝送路の帯域制限があるので伝送できない。よって、第３の周波数変換部１７により伝送可能な帯域まで周波数を変換する必要がある。なお、第３の周波数変換部１７としては分周器等が適用可能である。
【００５２】
以上により、本発明の第４の実施形態によれば、ＩＦ帯域での伝送が可能となり、また、基準周波数信号を下り伝送路（第一の伝送路）と異なる上り伝送路（第二の伝送路）に重畳して伝送を行うため、上り・下りの伝送帯域を狭くすることが可能となる。
【００５３】
（第５の実施形態）
図８は、本発明の第５の実施形態を説明するための信号伝送装置の概略構成を示す図であり、子局装置の例を示す図である。子局装置２には、下りデータ信号の周波数帯域を変換する第２の周波数変換部１８、任意信号の周波数帯域を変換する第４の周波数変換部１９で構成されている。
【００５４】
この第５の実施形態は、第２の実施形態（図３）においてＩＦ（中間周波数）伝送方式を実現するための方法であり、また、第４の実施形態（図７の親局装置）に対する子局装置となる。
【００５５】
基準周波数信号は、親局装置の第３の周波数変換部１７（図７）により第二の伝送路で伝送可能な帯域まで周波数変換された状態で送信される。子局装置２では分波部１３により第二の伝送路から基準周波数信号を取り出す。しかしこの基準周波数信号のままでは、データ信号をＩＦ信号からＲＦ信号へ変換することができないので、この基準周波数信号を第４の周波数変換部１９により元のＲＦ帯域の基準周波数信号に変換する。この第４の周波数変換部１９としては逓倍器などで実現可能である。
【００５６】
第４の周波数変換部１９により得られたＲＦ帯域の基準周波数信号とＩＦ信号から、第２の周波数変換部１８により、もとのＲＦ帯域にある下りデータ信号を得ることができる。なお、この第２の周波数変換部１８としてはミキサ回路などで実現可能である。
【００５７】
以上により、本発明の第５の実施形態を用いれば、ＩＦ伝送方式が可能となり、また、基準周波数信号を下り伝送路（第一の伝送路）と異なる上り伝送路（第二の伝送路）に重畳して伝送を行うため、上り・下りの伝送帯域を狭くすることが可能となる。
【００５８】
（第６の実施形態）
図９は、本発明の第６の実施形態を説明するための信号伝送装置の概略構成を示す図であり、親局装置１の構成例を示したものである。親局装置１内には、下りデータ信号と上りデータ信号を分波する分波部３０および合波部３１が設けられている。この合波部３１および分波部３０としては、方向性結合器（ディレクショナルカプラ）やサーキュレータなどが挙げられる。
【００５９】
この第６の実施形態は、帯域の重なる２種類のデータ信号の伝送を実現するための方法を示すものである。すなわち、下りデータ信号Ｓ１１及び上りデータ信号Ｓ１２のデータ信号と、下りデータ信号Ｓ２１及び上りデータ信号Ｓ２２のデータ信号とを、第一の伝送路と第二の伝送路に、以下のようにして、配分して伝送する方法を示すものである。第一の伝送路は、下りデータ信号Ｓ１１と、上りデータ信号Ｓ２２を伝送する。第二の伝送路は、下りデータ信号Ｓ２１と、上りデータ信号Ｓ１２を伝送する。
【００６０】
図１０は、第６の実施形態におけるデータ信号の関係を示す図であり、帯域が重なる２種類のデータ信号を伝送する場合に、本実施形態を適用した場合（図１０（ａ））と適用しない場合（図１０（ｂ））の、データ信号と任意信号の関係を周波数軸で表したものである。
【００６１】
従来例の装置のように第一の伝送路に両方の下りデータ信号Ｓ１１、Ｓ２１を重畳すると図１０（ｂ）に示すように帯域の重なる部分が生じるので、データ間に干渉などの影響をもたらし、ひいては伝送特性劣化を生じる。第二の伝送路についても同様である。
【００６２】
そこで、第６の実施形態で示す方法を用いれば、図１０（ａ）に示すように、第一の伝送路では、下りデータ信号Ｓ１１と上りデータ信号Ｓ２２との周波数帯域が重なる部分が生じ、第二の伝送路では、下りデータ信号Ｓ２１と上りデータ信号Ｓ１２との周波数帯域が重なる部分が生じるが、それぞれ伝送方向が異なるため、従来例の装置のように下りデータ信号または上りデータ信号同士で帯域が重なって伝送されるときの特性に比べ、劣化が低減できる。
【００６３】
特に、例えばインターネットに用いるデータ信号と映像信号、無線伝送などに用いられるようなワイドバンドの多キャリア信号をＩＦ変換された信号とイーサの信号をそれぞれ同時に多重し、ツイストペアケーブルや同軸アナログケーブルなど帯域限界がある伝送路でアナログ伝送される場合等に、効果的である。
【００６４】
また、第一の実施形態のように、任意信号を発生する信号発生部と、第二の伝送路に任意信号を合波する合波部をさらに設けてもよい。その場合、第二の伝送路で送信する下りデータＳ２１と任意信号の周波数帯域は異なることが好ましい。
【００６５】
（第７の実施形態）
図１１は、本発明の第７の実施形態を説明するための信号伝送装置の概略構成を示す図であり、その一例として子局装置の概略構成を示す。図１１に示すように、子局装置２には、下りデータ信号と上りデータ信号を分波する分波部３０、および下りデータ信号と上りデータ信号を合波する合波部３１が設けられている。
【００６６】
この本実施形態では、帯域の重なる２種類のデータ信号の伝送を実現するための方法であり、第６の実施形態（図９）の親局装置１に対する子局装置２となるものである。
【００６７】
この第７の実施形態では、第一の伝送路から、下りデータ信号Ｓ１１を取り出すと共に、合波部３１により、第一の伝送路に上りデータ信号Ｓ２２を合波し、親局側に送出する。また、第二の伝送路から分波部３０により下りデータ信号Ｓ２１を取り出すと共に、第二の伝送路により上りデータ信号Ｓ１２を親局側に送出する。
【００６８】
また、第二の実施形態のように、第二の伝送路に重畳された任意信号を分波する分波部と、分波された任意信号を獲得する信号獲得部をさらに設けてもよい。
【００６９】
このような本実施形態の信号伝送装置によれば、下りデータ信号Ｓ１１と上りデータ信号Ｓ２２との周波数帯域が重なる部分が生じ、第二の伝送路では、下りデータ信号Ｓ２１と上りデータ信号Ｓ１２との周波数帯域が重なる部分が生じるが、それぞれ伝送方向が異なるため、下りデータ信号または上りデータ信号同士で帯域が重なって伝送されるときの特性に比べ、劣化が低減できる。
【００７０】
（第８の実施形態）
図１２は、本発明の第８の実施形態を説明するための信号伝送装置の概略構成を示す図であり、第一の伝送路と第二の伝送路とを中継する中継装置の例を示す図である。図１２に示す中継装置３は、第１の実施形態（図１）に示す親局装置１と、第２の実施形態（図３）の子局装置２で実現される機能をひとつの装置で実現するものである。
【００７１】
図１２において、信号発生部１１および合波部１２は、図１に示したものと同様であり、分波部１３および信号獲得部１４については、図３に示したものと同様である。なお、５３０はデータ送信ポート、５３１はデータ受信ポートを示している。
【００７２】
中継装置３では、第二の伝送路により親局側から送信される任意信号を、分波部１３により分波し、信号獲得部１４により再生する。また、信号発生部１１で生成した任意信号を、合波部１２により第二の伝送路に重畳し子局側に伝送する。
【００７３】
なお、信号発生部１１により生成される信号として、信号獲得部１４で獲得した信号をそのまま用いたり、その信号を周波数変換したものを用いることも可能であることはいうまでもない。
【００７４】
以上、本発明の実施形態について説明したが、本発明の信号伝送装置は、上述の図示例にのみ限定されるものではなく、本発明の要旨を逸脱しない範囲内において種々変更を加え得ることは勿論である。
【産業上の利用可能性】
【００７５】
本発明は、データ信号に任意信号を重畳してアナログ伝送を行う際に、限られた伝送帯域をもつ伝送路においても特性劣化を抑えて信号伝送が可能な効果を有し、信号伝送装置等に有用である。
【図面の簡単な説明】
【００７６】
【図１】本発明の第１の実施形態を説明するための信号伝送装置の概略構成を示す図
【図２】本発明の第１の実施形態におけるデータ信号と任意信号の関係を示す図
【図３】本発明の第２の実施形態を説明するための信号伝送装置の概略構成を示す図
【図４】本発明の第２の実施形態におけるデータ信号と任意信号の関係を示す図
【図５】本発明の第３の実施形態を説明するための信号伝送装置の概略構成を示す図
【図６】本発明の第３の実施形態におけるデータ信号と任意信号の関係を示す図
【図７】本発明の第４の実施形態を説明するための信号伝送装置の概略構成を示す図
【図８】本発明の第５の実施形態を説明するための信号伝送装置の概略構成を示す図
【図９】本発明の第６の実施形態を説明するための信号伝送装置の概略構成を示す図
【図１０】本発明の第６の実施形態におけるデータ信号の関係を示す図。
【図１１】本発明の第７の実施形態を説明するための信号伝送装置の概略構成を示す図
【図１２】本発明の第８の実施形態を説明するための信号伝送装置の概略構成を示す図
【符号の説明】
【００７７】
１    親局装置
２    子局装置
３    中継装置
１１  信号発生部
１２  合波部
１３  分波部
１４  信号獲得部
１５  方向結合部
１６  第１の周波数変換部
１７  第３の周波数変換部
１８  第２の周波数変換部
１９  第４の周波数変換部
３０  分波部
３１  合波部
１００  下りデータ信号
１０１  下りデータ信号
２００  上りデータ信号
２０１  上りデータ信号
３００  任意信号
３０１  任意信号
３１０  高調波成分
３１１  高調波成分
４００  分波フィルタ特性
４０１  分波フィルタ特性
５１０  親局装置におけるデータ送信ポート
５１１  親局装置におけるデータ受信ポート
５２０  子局装置におけるデータ送信ポート
５２１  子局装置におけるデータ受信ポート
５３０  中継装置におけるデータ送信ポート
５３１  中継装置におけるデータ受信ポート
Ｓ１１  下りデータ信号
Ｓ１２  上りデータ信号
Ｓ２１  下りデータ信号
Ｓ２２  上りデータ信号
【図１】
2005244729.tif 000003
【図２】
2005244729.tif 000004
【図３】
2005244729.tif 000005
【図４】
2005244729.tif 000006
【図５】
2005244729.tif 000007
【図６】
2005244729.tif 000008
【図７】
2005244729.tif 000009
【図８】
2005244729.tif 000010
【図９】
2005244729.tif 000011
【図１０】
2005244729.tif 000012
【図１１】
2005244729.tif 000013
【図１２】
2005244729.tif 000014